(57)【要約】【課題】横型ブラインドへの着脱が比較的容易なブラインド用カーテン生地を得る。【解決手段】カーテン生地は、ヘッドレール１２から垂下されたラダーコード１３により複数の水平状スラット１４が上下に所定間隔をあけて支持されてなる横型ブラインド１０に取付けられる。そのカーテン生地２０は、複数のスラット１４を前面又は後面から覆う生地本体２１と、複数のスラット１４の全て又は一部に対応するように生地本体２１に生地本体２１の幅方向に連続して基端縁が逢着された複数本のヒンジ生地２２と、複数本のヒンジ生地２２の先端縁に生地本体２１の幅方向に所定の間隔をあけてそれぞれ設けられた複数の取付部材２３とを備える。取付部材は、粘着テープ２３でも、クリップでも、面ファスナであっても良い。【選択図】  図１
2008025127.tif 000002
【特許請求の範囲】
【請求項１】
ヘッドレール(12)から垂下されたラダーコード(13)により複数の水平状スラット(14)が上下に所定間隔をあけて支持されてなる横型ブラインド(10)に取付けられるカーテン生地において、
前記複数のスラット(14)を前面又は後面から覆う生地本体(21)と、
前記複数のスラット(14)の全て又は一部に対応するように前記生地本体(21)に前記生地本体(21)の幅方向に連続して基端縁が逢着された複数本のヒンジ生地(22)と、
前記複数本のヒンジ生地(22)の先端縁に前記生地本体(21)の幅方向に所定の間隔をあけてそれぞれ設けられた複数の取付部材(23,33,43)と
を備えたことを特徴とするブラインド用カーテン生地。
【請求項２】
取付部材がヒンジ生地(22)の先端縁をスラット(14)に貼り付ける粘着テープ(23)である請求項１記載のブラインド用カーテン生地。
【請求項３】
取付部材がスラット(14)を把持可能に構成されたクリップ(33)である請求項１記載のブラインド用カーテン生地。
【請求項４】
取付部材がヒンジ生地(２２)の先端縁とスラット(14)の間に設けられた面ファスナ(43)である請求項１記載のブラインド用カーテン生地。
【発明の詳細な説明】
【技術分野】
【０００１】
本発明は、複数の水平状スラットが上下に所定間隔をあけて支持されてなる横型ブラインドに、その複数の水平状スラットを前面又は後面から覆うように取付けられるカーテン生地に関するものである。
【背景技術】
【０００２】
建物の窓には、昼間は外部から室内が見えず、室内から外部の景色が見え、且つやわらかい光を取り入れる特性を有するものとして例えばレースのカーテンが取付けられる。一方、レースのカーテンは陽射しの強い場合には遮光不足となり、又、夜間には外部から室内がよく見えるという欠点を有している。このため、例えば複数の水平状スラットが上下に所定間隔をおいて並設され、スラットの傾斜をラダーコードにより変化させて採光を調整する横型ブラインドをレースのカーテンと併設することが行われる。しかし、カーテンとブラインドを併設すると、カーテン及びブラインドをそれぞれ別々に操作しなければならず、操作に手間がかかり不便な問題点がある。又、カーテンとブラインドの両方の取付けスペースが必要となるとともに、その取付けも別々にしなければならず取付工数が増加する問題点がある。
【０００３】
この点を解消するために、カーテン生地をブラインドに取付けたもの（例えば、特許文献１参照。）が提案されている。このカーテン生地付きブラインドは、ヘッドレールから垂下されたラダーコードにより複数の水平状スラットが上下に所定間隔をおいて支持されてなる横型ブラインドにおいて、複数のスラットを前後から挟むようにしてカーテン生地を相対向させ、その対向させたカーテン生地をそれぞれラダーコードに取付けている。このカーテン生地付きブラインドでは、相対向するカーテン生地によりカーテンのもつやわらかい雰囲気を保つとともに、ブラインドにおけるスラットの傾動により遮光調節が行わうことができるとしている。そして、ラダーコードとともに複数のスラットを昇降させることによりカーテン生地とスラットを同時に昇降させることができるとしている。
【特許文献１】実開平６−２０８８５号公報（明細書［０００６］〜［０００７］、図１）
【発明の開示】
【発明が解決しようとする課題】
【０００４】
しかし、ブラインドにおけるスラットは金属等から成る比較的硬質なものから成り、その清掃はハンディモップ等を用いた拭き掃除等により行われることが多い。これに対して一般的なカーテン生地の清掃にあっては、そのカーテン生地を取外して洗濯し、その後再び取付けることが行われる。このため、横型ブラインドの複数のスラットを前後から挟むようにしてカーテン生地を相対向させ、その対向させたカーテン生地をそれぞれラダーコードに取付けた上記従来のカーテン生地付きブラインドでは、カーテン生地をブラインドから取外すことが困難となり、複数のスラット及びその複数のスラットを覆うように取付けられたカーテン生地の双方の洗浄が困難になる不具合があった。また、季節によりブラインドからカーテン生地を取外したり、又はそのカーテン生地を取り換えてその柄を変更させたい希望もある。従って、カーテン生地が横型ブラインドに対して着脱可能であれば便利である。
本発明の目的は、横型ブラインドへの着脱が比較的容易なブラインド用カーテン生地を提供することにある。
【課題を解決するための手段】
【０００５】
請求項１に係る発明は、図１に示すように、ヘッドレール１２から垂下されたラダーコード１３により複数の水平状スラット１４が上下に所定間隔をあけて支持されてなる横型ブラインド１０に取付けられるカーテン生地の改良である。
その特徴ある構成は、複数のスラット１４を前面又は後面から覆う生地本体２１と、複数のスラット１４の全て又は一部に対応するように生地本体２１に生地本体２１の幅方向に連続して基端縁が逢着された複数本のヒンジ生地２２と、複数本のヒンジ生地２２の先端縁に生地本体２１の幅方向に所定の間隔をあけてそれぞれ設けられた複数の取付部材２３とを備えたところにある。
【０００６】
この請求項１に記載されたブラインド用カーテン生地では、ヒンジ生地２２の先端縁をスラット１４から取外すだけの比較的簡単な作業により、そのヒンジ生地２２とともにその基端縁が逢着された生地本体２１を横型ブラインド１０から取外すことができる。このため、カーテン生地２０の清掃に当たりそのカーテン生地２０をブラインド１０から取外して洗浄するとともに、横型ブラインド１０におけるスラット１４の清掃をカーテン生地２０を取外した状態で行うことができる。そして洗浄後のカーテン生地２０は、ヒンジ生地２２の先端縁を取付部材２３によりスラット１４に貼り付けるだけで再びそのブラインド１０に取付けることができる。このように取付け及び取外しが容易になるので、季節によりその横型ブラインド１０からカーテン生地２０を取外して柄の異なる別のカーテン生地２０を取付けることも比較的容易に行うことができる。
【０００７】
請求項２に係る発明は、請求項１に係る発明であって、取付部材がヒンジ生地２２の先端縁をスラット１４に貼り付ける粘着テープ２３であることを特徴とする。
請求項３に係る発明は、請求項１に係る発明であって、取付部材がスラット１４を把持可能に構成されたクリップ３３であることを特徴とする。
請求項４に係る発明は、請求項１に係る発明であって、取付部材がヒンジ生地２２の先端縁とスラット１４の間に設けられた面ファスナ４３であることを特徴とする。
この請求項２〜４に記載されたブラインド用カーテン生地では、ヒンジ生地２２の先端縁をスラット１４から比較的容易に取外すことが可能となる。
【発明の効果】
【０００８】
本発明のブラインド用カーテン生地では、複数のスラットを前面又は後面から覆う生地本体と、複数のスラットの全て又は一部に対応するように生地本体にこの生地本体の幅方向に連続して基端縁が逢着された複数本のヒンジ生地と、複数本のヒンジ生地の先端縁に生地本体の幅方向に所定の間隔をあけてそれぞれ設けられた複数の取付部材とを備えたので、ヒンジ生地の先端縁をスラットから取外すだけの比較的簡単な作業により、そのヒンジ生地とともにその基端縁が逢着された生地本体を横型ブラインドから取外すことができる。このため、カーテン生地の清掃に当たりそのカーテン生地をブラインドから取外して洗浄するとともに、横型ブラインドにおけるスラットの清掃をカーテン生地を取外した状態で行うことができる。そして洗浄後のカーテン生地は、ヒンジ生地の先端縁を取付部材によりスラットに貼り付けるだけで再びそのブラインドに取付けることができる。
【発明を実施するための最良の形態】
【０００９】
次に本発明を実施するための最良の形態を図面に基づいて説明する。
図１に示すように、本発明は横型ブラインド１０に取付けられるブラインド用カーテン生地２０に関するものである。この横型ブラインド１０は、建物の窓等の開口部の上方の壁面又は天井に取付金具１１を介して取付けられるヘッドレール１２を有し、このヘッドレール１２からは複数枚の水平状スラット１４を支持するラダーコード１３が垂下される。図３に詳しく示すように、ラダーコード１３は、ヘッドレール１２から水平状スラット１４の前側に垂下された前コード１３ａと、ヘッドレール１２から水平状スラット１４の後側に垂下された後コード１３ｂと、その前コード１３ａと後コード１３ｂを連結する横コード１３ｃを有し、横コード１３ｃは上下に所定の間隔をあけて複数設けられ、この複数の横コード１３ｃによりラダーコード１３は全体として梯子状に形成される。複数枚の水平状スラット１４は、この梯子状のラダーコード１３における複数の横コード１３ｃ上にそれぞれ載せられ、複数の水平状スラット１４はこのラダーコード１３により上下に均等な所定の間隔をおいて支持される。ラダーコード１３を構成する前コード１３ａ及び後コード１３ｂのそれぞれの下端部にはボトルレール１６が複数の水平状スラット１４と平行になるように水平に取付けられる。
【００１０】
図１に示すように、ヘッドレール１２からは複数の水平状スラット１４を貫通し下端がボトルレール１６に取付けられた昇降コード１７が垂下される。この昇降コード１７は複数のスラット１４のラダーコード１３における前コード１３ａと後コード１３ｂに挟まれる間にそれぞれ形成された長孔１４ａにそれぞれ遊挿されることにより複数の水平状スラット１４を貫通して設けられる。そして、図４に示すように、昇降コード１７を上昇させるとその下端に取付けられたボトルレール１６が上昇し、スラット１４を順次載せて上昇するように構成される。図１に戻って、ヘッドレール１２にからは、昇降コード１７の上端が外部に引き出されて操作部１７ａが形成され、この操作部１７ａをヘッドレール１２から遠ざけることによりそのヘッドレール１２から垂下された昇降コード１７を持ち上げて図４に示すようにスラット１４を上昇させ、操作部１７ａをヘッドレール１２に近づけることによりそのヘッドレール１２から垂下された昇降コード１７を降ろしてスラット１４を下降させるように構成される。
【００１１】
図示しないが、ヘッドレール１２の内部には、ラダーコード１３における前コード１３ａ又は後コード１３ｂを上下動させる機構が内蔵され、図５に示すように、その前コード１３ａと後コード１３ｂと互いに隣接する上下一対の横コード１３ｃ，１３ｃが描く方形を平行四辺形に変形可能に構成される。そして、図１に示すように、ヘッドレール１２にはこの図示しない機構を操作する傾動操作棒１８の一端が設けられる。その傾動操作棒１８はその中心軸を回転中心として回転させると、ヘッドレール１２内に設けられた機構によりラダーコード１３における前コード１３ａ又は後コード１３ｂのいずれか一方又は双方が上下動して、その前コード１３ａと後コード１３ｂと互いに隣接する上下一対の横コード１３ｃ，１３ｃが描く方形が平行四辺形に変形し、図５に示すように、その横コード１３ｃに支持された複数のスラット１４が同一方向に同時に同一の量だけ傾動可能に構成される。
【００１２】
図１に戻って、このように構成された横型ブラインド１０に取付けられる本発明のカーテン生地２０は、複数のスラット１４の全てを前面又は後面から覆う生地本体２１と、その生地本体２１に基端縁が逢着された複数本のヒンジ生地２２とを有する。生地本体２１としては布、合成樹脂等を素材とした透視性、通風性の良好な網目を有するものであることが好ましいけれども、紙のような生地であっても良い。図２に示すように、生地本体の幅Ａはスラット１４の全長と略等しく形成され、その高さＨは横型ブラインドのボトムレール１６を最も下降させた状態におけるそのボトムレール１６とヘッドレール１２の間隔に略等しく形成される。これによりこの生地本体２１は、ボトムレール１６とヘッドレール１２の間に存在する複数のスラット１４の全てをその前面又は後面から覆うように構成される。
【００１３】
ヒンジ生地２２は生地本体２１と同一の生地を帯状に裁断することにより作られ、そのヒンジ生地２２の全長は生地本体２１の幅Ａと同一に形成される。一方、ヒンジ生地２２の幅Ｂは、２〜３ｃｍの範囲になるように形成される。これは後述する取付部材２３によりこのヒンジ生地２２の先端縁が取付けられるスラット１４の幅が一般的に２．５〜３．５ｃｍであることから導かれるものであり、このヒンジ生地２２の幅Ｂが２ｃｍ未満であるとヒンジ生地２２の反発力により生地本体２１に皺が発生する不具合があり、そのヒンジ生地２２の幅Ｂが３ｃｍを越えるとヒンジ生地２２の余りにより生地本体２１に皺が発生する不具合がある。そして、このヒンジ生地２２は、複数のスラット１４の全て又は一部に対応するように、その先端縁を上側に向けてその基端縁が生地本体２１にその生地本体２１の幅方向に連続して逢着される。この実施の形態では、複数のヒンジ生地２２の基端縁は複数のスラット１４の全てに対応するように逢着される場合を示す。
【００１４】
複数本のヒンジ生地２２の先端縁には取付部材２３がそれぞれ設けられる。この実施の形態における取付部材は、ヒンジ生地２２の先端縁をスラット１４に貼り付ける粘着テープ２３であって、図２に示すように、その粘着テープ２３は生地本体２１の幅方向に所定の間隔Ｃをあけて複数設けられる。この所定の間隔Ｃは、ヒンジ生地２２の材質及び取付部材である粘着テープ２３の粘着強度により決定され、カーテン生地２０が横型ブラインド１０に比較的強固に取付けることができるように選定される。
【００１５】
このように構成された本発明のブラインド用カーテン生地２０では、ヒンジ生地２２の先端縁を取付部材である粘着テープ２３によりスラット１４に貼り付けると、そのヒンジ生地２２の基端縁が逢着された生地本体２１が複数のスラット１４の全てを前面又は後面から覆う。これにより、このカーテン生地２０は、その生地本体２１の有するやわらかい雰囲気を保つとともに、ブラインドにおけるスラット１４を傾動させることによりスラット１４とスラット１４の間の隙間を増加又は減少させ、これによりその隙間から入り込む光の量の調節を行うことができる。
【００１６】
ここで、生地本体２１はヒンジ生地２２を介してスラット１４に取付けられるので、図５に示すように、スラット１４を傾動させると、そのヒンジ生地２２はスラット１４の傾動動作に追従して湾曲するけれども、生地本体２１がスラット１４の傾動動作に追従して湾曲等することはない。このため、スラット１４の傾動による遮光調節が行われても、生地本体２１が湾曲すること等による見栄えの悪化を防止することができる。
【００１７】
また、図４に示すように、昇降コード１７を上昇させるとスラット１４がボトルレール１６上に順次載せられてそのボトルレール１６とともに上昇するけれども、その複数のヒンジ生地２２もそれが取付けられたスラット１４ともにボトルレール１６上に順次載せられて上昇することになる。ここで、複数本のヒンジ生地２２は、複数のスラット１４の全て又は一部に対応するように生地本体２１にその生地本体２１の幅方向に連続して基端縁が逢着されるので、複数のスラット１４の全てを覆う生地本体２１はそのヒンジ生地２２が逢着された部分において順次持ち上げられ、そのヒンジ生地２２とヒンジ生地２２の間が湾曲して二つ折りにされた状態でスラット１４とともに上昇し、スラット１４を昇降させるという横型グラインド１０における基本的機能が損なわれることはなく、カーテン生地２０の昇降がそのスラット１４の昇降とともに同時に行われるので、その操作性を向上させることができる。
【００１８】
一方、ヒンジ生地２２の先端縁をスラット１４から取外すだけの比較的簡単な作業により、そのヒンジ生地２２とともにその基端縁が逢着された生地本体２１を横型ブラインド１０から取外すことができる。このため、カーテン生地２０の清掃に当たりそのカーテン生地２０をブラインド１０から取外して洗浄するとともに、横型ブラインド１０におけるスラット１４の清掃をカーテン生地２０を取外した状態で行うことができる。そして洗浄後のカーテン生地２０は、ヒンジ生地２２の先端縁を取付部材である粘着テープ２３によりスラット１４に貼り付けるだけで再びそのブラインド１０に取付けることができる。このように取付け及び取外しが容易になるので、季節によりその横型ブラインド１０からカーテン生地２０を取外して柄の異なる別のカーテン生地２０を取付けることも比較的容易に行うことができる。
【００１９】
なお、上述した実施の形態では、粘着テープ２３から成る取付部材を説明したが、図６及び図７に示すように、取付部材はスラット１４を把持可能に構成されたクリップ３３であってもよい。図に示すクリップ３３は金属板材を二つ折りにして折り曲げられたものを示し、折り曲げられた中央部分をヒンジ生地２２の先端縁に形成された取付孔２２ａに挿通させて取付けるように構成される。また、そのクリップ３３の先端はスラット１４を挿入して把持しやすいように互いに外側を向けて開かれ、その開かれた間からスラット１４を挿入することによりクリップ３３の先端は互いに押し広げられ、その弾性によりスラット１４を把持するように構成される。
【００２０】
また、取付部材は図８及び図９に示すように、ヒンジ生地２２の先端縁とスラット１４の間に設けられた面ファスナ４３であってもよい。図に示す面ファスナ４３は一方４３ａがスラット１４に粘着され、他方４３ｂがヒンジ生地２２の先端縁に逢着される。そして、面ファスナ４３のヒンジ生地２２の先端縁に逢着された他方４３ｂをスラット１４に粘着された一方４３ａから剥離することによりヒンジ生地２２の先端をスラット１４から取外すことができ、面ファスナ４３のスラット１４に粘着された一方４３ａにヒンジ生地２２の先端縁に逢着された他方４３ｂを押し付けて係止させることによりヒンジ生地２２の先端をスラット１４に比較的容易に取付けることができる。
【００２１】
このように取付部材としてクリップ３３や面ファスナ４３を用いたとしても、そのクリップ３３をスラット１４から取外すことにより、又は面ファスナ４３のヒンジ生地２２の先端縁に逢着された他方４３ｂをスラット１４に粘着された一方４３ａから剥離することにより、ヒンジ生地２２とともにその基端縁が逢着された生地本体２１を横型ブラインド１０から比較的容易に取外すことができる。このため、カーテン生地２０の清掃に当たりそのカーテン生地２０をブラインドから取外して洗浄するとともに、横型ブラインド１０におけるスラット１４の清掃をカーテン生地２０を取外した状態で行うことができる。そして洗浄後のカーテン生地２０は、ヒンジ生地２２の先端縁を取付部材であるクリップ３３によりスラット１４に取付けるだけで、又は面ファスナ４３のスラット１４に粘着された一方４３ａにヒンジ生地２２の先端縁に逢着された他方４３ｂを押し付けて係止させることにより再びそのブラインドに取付けることができる。このように取付け及び取外しが容易になるので、季節によりその横型ブラインド１０からカーテン生地２０を取外して柄の異なる別のカーテン生地２０を取付けることも比較的容易に行うことができる。
【００２２】
なお、上述した実施の形態では、ヒンジ生地２２が生地本体２１と同一の生地から成る場合を説明したが、ヒンジ生地２２は生地本体２１と必ずしも同一でなくて良く、生地本体２１が紙等であっても、ヒンジ生地２２は織物として、耐久性向上の効果を生じさせることもできる。
【００２３】
また、上述した実施の形態では、複数のスラット１４の全てに対応するようにヒンジ生地２２を生地本体２１に逢着させた例を示したが、複数本のヒンジ生地２２は複数のスラット１４の一部に対応するように生地本体２１にその基端縁を逢着しても良い。この場合には、スラット１４が上昇したときに生地本体２１が規則正しく折り畳まれるように、上下方向に所定の等しい間隔あけて複数のスラット１４の一部に対応するように複数のヒンジ生地２２を設けることが好ましい。図１０では、ヒンジ生地とヒンジ生地の間に１本のスラットが余るように、複数のスラット１４の一部に対応するように複数のヒンジ生地２２を生地本体２１に設け他例を示す。
【図面の簡単な説明】
【００２４】
【図１】本発明実施形態のカーテン生地が取付けられる状態を示す斜視図である。
【図２】そのカーテン生地の平面図である。
【図３】そのカーテン生地が取付けられた横型ブラインドの側面図である。
【図４】そのボトムレールが持ち上げられた状態を示す図３に対応する側面図である。
【図５】そのスラットが傾斜させられた状態を示す図３に対応する側面図である。
【図６】その取付部材がクリップであるカーテン生地を示す斜視図である。
【図７】そのクリップによりカーテン生地がスラットに取付けられた側面図である。
【図８】その取付部材が面ファスナであるカーテン生地を示す斜視図である。
【図９】その面ファスナによりカーテン生地がスラットに取付けられた側面図である。
【図１０】ヒンジ生地が複数のスラットの一部に対応するように生地本体に逢着された図４に対応する側面図である。
【符号の説明】
【００２５】
１０  横型ブラインド
１２  ヘッドレール
１３  ラダーコード
１４  スラット
２０  カーテン生地
２１  生地本体
２２  ヒンジ生地
２３  粘着テープ（取付部材）
３３  クリップ（取付部材）
４３  面ファスナ（取付部材）
【図１】
2008025127.tif 000003
【図２】
2008025127.tif 000004
【図３】
2008025127.tif 000005
【図４】
2008025127.tif 000006
【図５】
2008025127.tif 000007
【図６】
2008025127.tif 000008
【図７】
2008025127.tif 000009
【図８】
2008025127.tif 000010
【図９】
2008025127.tif 000011
【図１０】
2008025127.tif 000012